(57)【要約】【課題】電気暖房具表面の温度設定状態を高齢者等の視力の弱い人にも確実に識別できるようにしたものである。【解決手段】本発明の電気暖房具本体４は、コントローラ５に、温度調節ツマミ７と表示部８を設け、前記表示部８は、温度調節ツマミ７の設定温度に連動して、色調を変更させる表示ランプで構成する。例えば、発熱体１の温度が高温に設定された場合は表示部８は赤に、低温に設定された場合は青になるという構成である。従って、高齢者等の視力の弱い人にも確実に温度設定状態を識別できることとなる。【選択図】  図１
2004257579.tif 000002
【特許請求の範囲】
【請求項１】
表面材と裏面材との間に発熱体を配置した電気暖房具本体と、通電時において、前記発熱体の発熱量を制御するコントローラと、前記コントローラ表面に設けられた表示部とを備え、前記表示部は、前記コントローラの温度制御に連動して色調を変化させる構成の電気暖房具。
【請求項２】
表面材と裏面材との間に複数の発熱体を配置した電気暖房具本体と、通電時において、複数の発熱体の発熱量を制御し、複数の発熱体を択一的に切り替えることができるコントローラと、前記コントローラ表面に設けられた複数の表示部とを備え、前記表示部は選定された発熱体の温度制御に連動して色調を変化させる構成の電気暖房具。
【請求項３】
前記コントローラには、電源ツマミ、温度調節ツマミと表示部を有する請求項１または請求項２記載の電気暖房具。
【請求項４】
表示部として２色のＬＥＤを用いた請求項１または請求項２記載の電気暖房具。
【発明の詳細な説明】
【０００１】
【発明の属する技術分野】
本発明は、電気カーペット等の電気暖房具に関するものである。
【０００２】
【従来の技術】
従来、この種の電気暖房具としては、特許文献１に示されているように図６のように構成されていた。以下、その構成について説明をする。
【０００３】
図６に示すように、通電状態で発熱する発熱体５１を表生地５２と裏生地５３との間に配設しているカーペット本体５０と、このカーペット本体５０の通電時における温度制御を行うコントローラ５４及び電源コード５５を備えている。
【０００４】
【特許文献１】
特開平６−１９６２５１号公報（第７ページ、第１図）
【０００５】
【発明が解決しようとする課題】
しかしながら、上記従来の構成では、コントローラから離れた位置から、また、高齢者等のように視力の弱い人にとって、温度調節ツマミの位置で電気暖房具本体の表面の温度設定状態を確認しにくかった。
【０００６】
本発明は、上記課題を解決するもので、コントローラから離れた位置からでも、また、高齢者等の視力の弱い人でも、簡単に電気暖房具の温度設定状態を確認できることを目的とする。
【０００７】
【課題を解決するための手段】
上記の目的を達成するために、本発明において、コントローラに温度設定状態を示す表示部を設置する。前記表示部は、温度調節ツマミと連動して、色表示を変化させる構成をとる。これにより、電気暖房具本体の表面の温度設定状態が表示部に色調として表示される。
【０００８】
【発明の実施の形態】
上記の目的を達成するために本発明は、表面材と裏面材との間に発熱体を配置した電気暖房具本体と、通電時において、前記発熱体の発熱量を制御するコントローラと、前記コントローラ表面に設けられた表示部とを備え、前記コントローラの温度制御と連動して色調を変化させるので、コントローラから離れた位置からでも、また、高齢者等の視力の弱い人でも簡単に温度設定状態を表示部の色調により確認することができる。
【０００９】
さらに、表面材と裏面材との間に複数の発熱体を配置した電気暖房具本体と、通電時において、複数の発熱体の発熱量を制御し、複数の発熱体を択一的に切り替えることができるコントローラと、前記コントローラ表面に設けられた複数の表示部とを備え、前記表示部は選定されたそれぞれの発熱体の温度制御と連動して色調が変化するので、選定された発熱体の温度設定状態をコントローラから離れた位置からでも、また、高齢者等の視力の弱い人でも簡単に表示部の色調により確認することができる。
【００１０】
また、前記と同様に表示部は、電源ツマミ、温度調節ツマミとを有するコントローラに設けられており、前記表示部で発熱体の温度設定状態を確実に識別することができるので、使い勝手がよい。
【００１１】
さらに、表示部としては、例えば、２色のＬＥＤを用いて、赤、青などの色調に変化させることが考えられる。
【００１２】
【実施例】
以下、本発明の実施例について図面を参照して説明する。
【００１３】
（実施例１）
図１、２、３に示すように電気暖房具本体４は、表面材２と裏面材３の間に発熱体１を配置する構成をとり、一部に温度調節を行うコントローラ５が配置されている。コントローラ５は、端部に、電源ツマミ６及び温度調節ツマミ７を有する。
【００１４】
さらにコントローラ５の表面には、温度調節ツマミ７と連動する表示部８を有している。表示部８は、２色のＬＥＤなどからなる表示ランプ９と表示窓１０から構成される。
【００１５】
また、コントローラ５の一側面には、電源コード１１が設けられている。
【００１６】
上述したように、表示ランプ９は、温度調節ツマミ７と連動して２色のＬＥＤの色調が変化する。
【００１７】
例えば、二段階の温度調節による色調の変化が表示部８に表示されるよう設定し、温度調節ツマミ７が高温に設定されている場合は表示ランプ９が赤い色で発光して表示部８が赤に、低温に設定されている場合は表示ランプ９が青色に発光して表示部８が青に変化する。
【００１８】
従って、電気暖房具の使用状態が色調で報知されるので、離れた位置からでも、あるいは、高齢者等の視力の弱い人でも簡単に視認できることとする。
【００１９】
（実施例２）
図４、５に示すように、２つの発熱体２０、２１は、表面材２２、及び裏面材２３との間に設けられ、電気暖房具本体２４を構成する。電気暖房具本体２４の一隅には、温度制御を行うコントローラ２５が設置されている。
【００２０】
コントローラ２５は、側面に電源ツマミ２６、温度調節ツマミ２７及び発熱体２０、２１の切替ツマミ２８を有し、さらに前記切替ツマミ２８により作動する２つの表示部２９、３０が表面に配置してある。
【００２１】
表示部２９、３０のそれぞれは、２つの２色のＬＥＤなどからなる表示ランプと表示窓とにより構成される。また、コントローラー２５の側面には、電源コード３５が設けられている。
【００２２】
以上のように構成された電気暖房具本体２４は、以下のとおり、作動し、作用を有する。
【００２３】
２つの発熱体２０、２１を働かせて、電気暖房具本体２４の全面を発熱させるときには、切替ツマミ２８で、双方の発熱体２０、２１に電気を流す。このときに双方の表示部２９、３０の表示ランプが点灯する。
【００２４】
そして、温度調節ツマミ２７で発熱体２０、２１を制御して温度調節を行う場合に双方の表示部２９、３０がその設定された温度に対応した色調となる。
【００２５】
具体的には、発熱体２０、２１の温度が高温に設定された場合は、表示部２９、３０が赤に、発熱体２０、２１が低温に設定された場合は、表示部２９、３０が青に変化する。
【００２６】
また、切替ツマミ２８を介して、２つの発熱体２０、２１のいずれか一方のみを動作させることができる。このときは、温度調節ツマミ２７でその選定された発熱体のみの温度調節がなされ、選定された発熱体に対応した表示部が温度調節ツマミ２７に連動して、色調を変化させる。
【００２７】
以上のように、本実施例においては、表示部２９、３０が温度調節ツマミ２７と連動して色表示を変化させることにより、電気暖房具本体２４の表面の温度設定状態を色調として表示する。
【００２８】
従って、電気暖房具本体２４の表面の温度設定状態を離れた位置からでも、あるいは、高齢者等の視力の弱い人にも容易に色調として識別することができる。
【００２９】
【発明の効果】
上記実施例から明らかなように、本発明によれば、通電時において温度制御を行うコントローラに設けられた表示部が温度調節ツマミに連動して色調を変化させるので、電気暖房具本体の表面の温度設定状態が表示部の色により表示され、離れた位置からでも、あるいは高齢者等の視力の弱い人にも確実に色調として識別することができる。
【図面の簡単な説明】
【図１】本発明の実施例１の電気暖房具の斜視図
【図２】同電気暖房具における操作部の要部拡大斜視図
【図３】同電気暖房具における表示部の断面図
【図４】本発明の実施例２に示す電気暖房具の概観図
【図５】同電気暖房具における操作部の要部拡大斜視図
【図６】従来の電気暖房具の斜視図
【符号の説明】
１、２０、２１  発熱体
２、２２  表面材
３、２３  裏面材
４、２４  電気暖房具本体
５、２５  コントローラ
６、２６  電源ツマミ
７、２７  温度調節ツマミ
８、２９、３０  表示部
９  表示ランプ
１０  表示窓
１１、３５  電源コード
【図１】
2004257579.tif 000003
【図２】
2004257579.tif 000004
【図３】
2004257579.tif 000005
【図４】
2004257579.tif 000006
【図５】
2004257579.tif 000007
【図６】
2004257579.tif 000008